(57)【要約】【課題】番組視聴の計画をイメージとして捉えられることができ、他の番組などの情報に惑わされることなく、よく視聴するお好みの番組を選択可能とする。【解決手段】リモコン７の操作によって番組が視聴される毎に、嗜好分析処理部４が、その番組の番組特徴情報をＥＰＧ情報取得部２から取得するとともに、その番組の視聴時間を取得し、これらを分析処理することにより、番組特徴情報の嗜好度を求めて保持する。リモコン７でＥＰＧ表示の指示があると、ＥＰＧ作成部５は、嗜好分析処理部４に保持されている嗜好度の高い番組特徴除法を取得し、この番組特徴情報に一致する番組情報を有する番組をＥＰＧ情報取得部２のＥＰＧ情報から検出し、かかる番組のＥＰＧを従来のチャンネル軸，時間軸の二次元配列のフォーマットで形成し、表示画面に表示させる。【選択図】図１
2008005225.tif 000002
【特許請求の範囲】
【請求項１】
ユーザの視聴操作指示によって視聴される番組の番組特徴情報を嗜好分析処理手段で分析してユーザが好む番組を示す嗜好情報を取得し、該嗜好情報の番組特徴情報に該当する番組情報を有する番組のＥＰＧ(Electric Program Guide)をＥＰＧ作成手段で作成して表示手段で表示する番組情報提示手段であって、
ユーザからの該嗜好情報での嗜好度合いの指示に応じて、指示された該嗜好度合いを満たす嗜好情報に該当する番組情報を有する番組のみを含むＥＰＧを作成して表示することを特徴とする番組情報提示方法。
【請求項２】
請求項１において、
前記視聴番組の番組特徴情報は、取得したＥＰＧ情報から抽出した番組の番組情報の少なくともジャンル，出演者名，キーワードであることを特徴とする番組情報提示方法。
【請求項３】
請求項１または２において、
前記ＥＰＧで表示される番組は、前記嗜好情報での前記番組特徴情報で指示されたものであることを特徴とする番組情報提示方法。
【請求項４】
ユーザの視聴操作指示によって視聴される番組の番組特徴情報を嗜好分析処理手段で分析してユーザが好む番組を示す嗜好情報を取得し、該嗜好情報の番組特徴情報に該当する番組情報を有する番組をユーザのお好みの番組として、該ユーザのお好みの番組のＥＰＧ(Electric Program Guide)をＥＰＧ作成手段で作成して表示手段で表示する番組情報提示手段であって、
該ＥＰＧは、チャンネル軸と時間軸からなる該お好み番組の二次元配列表示をする番組表であり、
ユーザからの該嗜好情報での嗜好度合いの指示に応じて、指示された該嗜好度合いを満たす嗜好情報に該当する番組情報を有する番組のみを含むＥＰＧを作成して表示するとともに、
該ＥＰＧで番組を選択するためのカーソルを表示し、該ＥＰＧで番組情報が表示されていない番組枠を該カーソルで選択すると、該番組枠で該当する番組の番組情報を表示することを特徴とする番組情報提示方法。
【請求項５】
請求項４において、
前記ＥＰＧで番組情報が表示されてない番組枠が前記カーソルで選択されることによって表示される番組情報が、前記チャンネル軸と前記時間軸の二次元配列表示エリアとは異なるエリアに表示されることを特徴とする番組情報提示方法。
【請求項６】
請求項４において、
前記ＥＰＧで番組情報が表示されてない番組枠が前記カーソルで選択されることによって表示される番組情報が、前記カーソルで選択された該番組枠内に表示されることを特徴とする番組情報提示方法。
【発明の詳細な説明】
【技術分野】
【０００１】
本発明は、膨大な放送番組から視聴者が嗜好する番組を選択することを支援する方法に係り、特に、視聴者の嗜好傾向を把握して、嗜好傾向を加味した番組表を提示する番組情報提示方法に関する。
【背景技術】
【０００２】
近年、放送のデジタル化により多チャンネル放送が普及しており、これまでは新聞などのテレビ番組表から番組を選択して視聴する方法が採られていたが、放送番組信号に多重されるＥＰＧ（Electric Program Guide：電子番組表）情報から番組表（以下、ＥＰＧという）を作成してテレビ画面上にＯＳＤ（On Screen Display）表示し、そのＥＰＧから希望する番組を選択する方法が認知されてきている。これにより、新聞や雑誌などの他のメディアを用いずに、テレビ画面で視聴希望する番組を選択したり、録画予約番組の登録を行なったりすることが可能となった。しかし、逆に、チャンネルが多く、ＥＰＧで画面に表示できる番組数には限りがあるため、好みの番組を探し出すことが困難になっている。
【０００３】
これを解決する１つの方法として、従来、ＥＰＧを画面表示する場合、視聴者の嗜好情報に基づいて抽出した番組におすすめマークを表示することにより、その他の多くの番組と区別して表示する方法が提案されている（例えば、特許文献１参照）。
【０００４】
また、他の方法として、チャンネル軸と時間軸との二次元配置で表示される一般的なＥＰＧのみでなく、これと同時に視聴者のお好み番組やジャンルをピックアップして列表示を行ない、番組の選択性を良くする方法も提案されている（例えば、特許文献２参照）。
【０００５】
さらに他の方法として、視聴者の嗜好を判定し、放送時間帯毎におすすめ度の高い順に番組のジャンルを配列するようにし、放送時間帯毎に視聴者の好みの番組を選択できるようにした方法も提案されている（例えば、特許文献３参照）。
【特許文献１】特開２００４−１５７６１７号
【特許文献２】特開２００１−１３６４５４号
【特許文献３】特開２０００−２５３３２５号
【発明の開示】
【発明が解決しようとする課題】
【０００６】
上記の特許文献１に記載の方法では、ＥＰＧ上で視聴者の嗜好に合った番組にマークを付け、他の番組と区別して表示することができるので、お好みの番組を選択するのに有用である。
【０００７】
しかしながら、この方法では、ＥＰＧには、画面に表示できる全ての番組が表示されており、この上さらにおすすめマークが付されるものであるから、かかる番組表で表示される情報量はマークを付けた分増加することになり、注目すべき番組は明確になっていても、余分な情報が残り、かかるマークによって煩わされる可能性がある。
【０００８】
また、上記特許文献２に記載の方法では、一般的なＥＰＧとともに、視聴者の嗜好に合った番組やジャンルの番組をピックアップして別欄で同時に表示することができるので、好みの番組を選択するのに有用である。これによると、注目すべきお好みの番組のみ集めた表示を用いることにより、他の番組情報に惑わされることが低減できるが、この場合、チャンネル軸と時間軸との二次元配置で番組を配列する番組表のイメージから番組の位置関係が崩れるため、番組視聴の計画をイメージしづらくなる。
【０００９】
さらに、上記特許文献３に記載の方法では、好みの度合いを加味することにより、視聴者の嗜好に合った番組を集めて表示するので、上記特許文献２に記載の方法と同様、好みの番組を選択するのに他の番組情報に惑わされることが低減でき、好みの番組を選択するのに有用であるが、番組の配列がチャンネル軸と時間軸との二次元配置として配列するイメージから崩れるために、番組視聴の計画をイメージしづらくなる。
【００１０】
本発明の目的は、かかる問題を解消し、チャンネル軸と時間軸との二次元配列のイメージを損なうことなく、よく視聴するお好みの番組のみを表示することができて、番組視聴の計画をイメージとして捉えられることができ、他の番組などの情報に惑わされることなくお好みの番組を選択できるようにした番組情報提示方法を提供することにある。
【課題を解決するための手段】
【００１１】
上記目的を達成するために、本発明は、ユーザの視聴操作指示によって視聴される番組の番組特徴情報を嗜好分析処理手段で分析してユーザが好む番組を示す嗜好情報を取得し、この嗜好情報の番組特徴情報に該当する番組情報を有する番組のＥＰＧをＥＰＧ作成手段で作成して表示手段で表示する番組情報提示手段であって、ユーザからの嗜好情報での嗜好度合いの指示に応じて、指示された嗜好度合いを満たす嗜好情報に該当する番組情報を有する番組のみを含むＥＰＧを作成して表示することを特徴とする。
【００１２】
また、本発明は、視聴番組の番組特徴情報が、取得したＥＰＧ情報から抽出した番組の番組情報の少なくともジャンル，出演者名，キーワードであることを特徴とする。
【００１３】
また、本発明は、ＥＰＧで表示される番組が、嗜好情報での番組特徴情報で指示されたものであることを特徴とする。
【００１４】
また、本発明は、ユーザの視聴操作指示によって視聴される番組の番組特徴情報を嗜好分析処理手段で分析してユーザが好む番組を示す嗜好情報を取得し、この嗜好情報の番組特徴情報に該当する番組情報を有する番組をユーザのお好みの番組として、ユーザのお好みの番組のＥＰＧをＥＰＧ作成手段で作成して表示手段で表示する番組情報提示手段であって、ＥＰＧは、チャンネル軸と時間軸からなるお好み番組の二次元配列表示をする番組表であり、ユーザからのこの嗜好情報での嗜好度合いの指示に応じて、指示された嗜好度合いを満たす嗜好情報に該当する番組情報を有する番組のみを含むＥＰＧを作成して表示するとともに、ＥＰＧで番組を選択するためのカーソルを表示し、ＥＰＧで番組情報が表示されていない番組枠をカーソルで選択すると、この番組枠で該当する番組の番組情報を表示することを特徴とする。
【００１５】
また、本発明は、ＥＰＧで番組情報が表示されてない番組枠がカーソルで選択されることによって表示される番組情報が、チャンネル軸と時間軸の二次元配列表示エリアとは異なるエリアに表示されることを特徴とする。
【００１６】
また、本発明は、ＥＰＧで番組情報が表示されてない番組枠がカーソルで選択されることによって表示される番組情報が、カーソルで選択されたこの番組枠内に表示されることを特徴とする。
【発明の効果】
【００１７】
本発明により、ユーザのよく視聴する好みの番組のみを、従来と同じチャンネル軸と時間軸の二次元配列のＥＰＧフォーマットのままで、表示する番組表とすることができるので、不要な他の情報に惑わされることなく、また、番組視聴の計画などをイメージし易いまま、ＥＰＧ表示を行なうことができる。
【発明を実施するための最良の形態】
【００１８】
以下、本発明の実施形態を図面により説明する。
【００１９】
図１は本発明による番組情報提示方法の第１の実施形態を示すブロック図であって、１はユーザ操作取得部、２はＥＰＧ情報取得部、３は視聴履歴処理部、４は嗜好分析処理部、５はＥＰＧ作成部、６はシステム制御部、７はリモートコントローラ（以下、リモコンという）である。図１に示す構成の装置は、テレビジョン受像機に設けられているが、テレビ受像機とは別体の装置でもよい。
【００２０】
同図において、リモコン７では、ユーザによって視聴を希望する番組のチャンネル選局やＥＰＧ表示指示などの操作が行なわれるものであって、かかる操作、即ち、選局操作やＥＰＧ表示指示操作が行なわれると、その操作情報（以下、ユーザ操作情報という）Ａがユーザ操作取得部１に送信される。即ち、ユーザが希望する番組のチャンネルを選局して（以下、これを番組を選局するという）この番組を視聴するためにリモコン７を操作（選局操作）すると、テレビ受像機では、この番組が選局された表示される。また、ユーザがリモコン７でＥＰＧの表示指示操作をすると、この指示を表わすユーザ操作情報Ａが送信される。
【００２１】
ユーザ操作取得部１では、リモコン７からのユーザ操作情報Ａが受信されるが、ユーザ操作情報Ａが選局操作によるものであるときには、番組視聴操作情報Ｂが作成され、視聴履歴処理部３に供給される。また、リモコン７からのユーザ操作情報ＡがＥＰＧの表示指示操作によるものであるときには、これが処理されてＥＰＧの作成を指示するＥＰＧ表示指示情報Ｃが作成され、ＥＰＧ作成部５に供給される。
【００２２】
ＥＰＧ情報取得部２は、例えば、デジタル放送などで放送番組に多重されて送られてくる１週間分のＥＰＧ情報から、各番組毎にその放送開始時間や放送時間、番組名，番組内容説明，ジャンル（ドラマ，バラエティ番組，スポーツ番組などの番組の種類）、出演者名などの番組情報を取得する。
【００２３】
視聴履歴処理部３は、ユーザ操作取得部１からユーザの選局操作による番組視聴操作情報Ｂを取得すると、この番組視聴操作情報Ｂからユーザによってチャンネルが選局されてユーザによって視聴される番組（以下、ユーザ視聴番組という）を判定し、ＥＰＧ情報取得部２で取得した番組情報からこのユーザ視聴番組の特徴を表わすジャンルや番組名、出演者などの情報を番組特徴情報として抽出する。また、視聴履歴処理部３は、このユーザ視聴番組に対するユーザの実際の視聴時間（以下、単に視聴時間という）を検出する。この視聴時間は、ユーザの選局操作による番組視聴操作情報Ｂが供給されてからこのユーザ視聴番組の視聴を終了するまでの時間であるが、この場合のユーザの視聴終了時刻とは、このユーザ視聴番組の視聴中に、リモコン７の操作により、他の番組に視聴番組が切り替えられたときには、その時刻をいうものであり、このユーザ視聴番組の放送が終了して同じチャンネルの次の番組に切り替わっても、リモコン７の選局操作が行なわれないときには、このユーザ視聴番組の放送終了時刻がこのユーザ視聴番組の放送終了時刻となる。かかる放送開始時刻や放送時間の情報は、ＥＰＧ情報取得部２で取得したこのユーザの視聴番組の番組情報から取得する。なお、このように、リモコン７の選局操作がなされず、同じチャンネルの次の番組に視聴が移る場合には、この番組が次のユーザ視聴番組となる。勿論、ユーザ視聴番組の放送中に、リモコン７の操作により、電源オフとされた場合には、このときの時刻が視聴終了時刻となる。
【００２４】
なお、リモコン８の操作によって電源がオン，オフされるときには、その操作によるユーザ操作情報Ａがリモコン８からユーザ操作取得部１に送られ、これにより、ユーザ操作取得部１は電源のオン，オフを通知する番組視聴操作情報Ｂを視聴履歴処理部３に送る。これにより、視聴履歴処理部３は電源のオン，オフを認識することができる。また、電源がオンしたときには、テレビ受像機で番組の視聴が開始されるが、リモコン８から電源のオンを通知するユーザ操作情報Ａが送られてくるとともに、この視聴番組のチャンネル名を示すチャンネル情報もテレビ受信機からユーザ操作取得部１に送られることになり、これにより、ユーザ操作取得部１は、電源オンの通知が付加された番組視聴操作情報Ｂに、さらに、このチャンネル名を通知する情報を付加して視聴履歴処理部３に送る。このようにして、視聴履歴処理部３は、電源のオンとともに、これによって視聴開始されるチャンネル、従って、番組を認識することができる。
【００２５】
なお、番組の放送が終了してコマーシャルの放送時間となっているときにこのチャンネルが選局されても、視聴履歴処理部３は番組の放送をが終了しているものとして、番組が選局されたとはせず、その後、次の番組の放送開始時刻となると、この番組をユーザ視聴番組とする。
【００２６】
視聴履歴処理部３は、ユーザの視聴番組の放送時間が終了すると、このユーザ視聴番組の番組特徴情報と視聴時間の情報とを嗜好分析処理部４に供給する。従って、ユーザ視聴情報の放送が終了する毎に、視聴履歴処理部３から嗜好分析処理部４に番組特徴情報と視聴時間の情報とが送られることになる。
【００２７】
嗜好分析処理部４は、視聴履歴処理部３からの視聴時間と番組特徴情報などを分析処理し、よく視聴する嗜好傾向の高い番組の番組特徴情報と嗜好度を嗜好情報として抽出し、保存する。
【００２８】
ＥＰＧ作成部５は、リモコン７の操作により、ユーザ操作取得部１からＥＰＧ表示指示情報Ｃが供給されると、嗜好分析処理部４で保存されている嗜好情報のうちから、このＥＰＧ表示指示情報Ｃで指定される嗜好度の嗜好情報を取り込み、この嗜好情報に合致する番組情報を有する番組を取得し、かかる番組のみを表示するＥＰＧを作成する。
【００２９】
システム制御部６は、図示をしない他のデジタル放送受信処理なども含めて、各部の動作を制御する。
【００３０】
以下、この第１の実施形態の動作を説明する。
【００３１】
ＥＰＧ情報取得部２では、例えば、デジタル放送の場合、放送番組に多重されて送られてくるＥＰＧ情報を、番組情報として、取得する。ＥＰＧ情報には、番組毎に放送開始時間や番組の長さ（放送時間），番組名，番組内容説明，出演者名，ジャンルなどがあり、チャンネル毎に当日を含めて、例えば、８日先までの１週間分の情報が含まれている。
【００３２】
リモコン７でユーザが選局操作やＥＰＧ表示を指示する操作を行なうと、このリモコン７からユーザ操作情報Ａが出力され、ユーザ操作取得部１がこれを取得する。このユーザ操作情報Ａが選局などの番組視聴に関する場合には、ユーザ操作取得部１は、このユーザ操作情報Ａを、番組視聴操作情報Ｂとして、視聴履歴処理部３に通知する。視聴履歴処理部３は、ユーザ操作取得部１からの番組視聴操作情報Ｂを取得すると、このときのユーザの選局操作によって選局されて視聴開始されるユーザ視聴番組の番組情報が、その番組特徴情報として、ＥＰＧ情報取得部２から取得し、このユーザ視聴番組の試聴が終了してその視聴時間が得られると、取得した番組特徴情報であるジャンルや番組名，出演者名、あるいは番組名や番組内容説明に含まれる用語（例えば、サッカーやプロ野球などといった名詞）などのキーワードと視聴時間とからなる視聴履歴情報を作成し、嗜好分析処理部４に通知する。
【００３３】
嗜好分析処理部４では、これまで視聴履歴処理部３から通知された視聴履歴情報を基に作成された番組特徴情報毎の嗜好度（番組特徴情報を含む番組の視聴回数や視聴時間の割合を分析した結果得られるどのような番組特徴情報の番組をユーザがよく視聴する傾向にあるか、といったことを示す度合い）を表わす嗜好度リストが保持されており、ユーザが新たに番組を視聴することにより、そのユーザ視聴番組の新たな視聴履歴情報が視聴履歴処理部３から通知されると、この視聴履歴情報が、これまで取得した視聴履歴情報とともに、分析処理されて番組特徴情報毎の嗜好度、即ち、嗜好度リストの更新が行なわれる。ここで、嗜好度が高い順に番組特徴情報がレベル付けされる。
【００３４】
また、図２は嗜好度リスト８の一具体例を模式的に示す図であり、ここでは、番組特徴情報のジャンル「ドラマ」の嗜好度が「６７」と最も高く、ドラマの番組が最もよく視聴されていることを示している。次によく視聴される番組は出演者「新垣ユイ」が出演する番組であって、その嗜好度は「６４」となっている。この場合、各番組特徴情報には、その嗜好度に応じたお好み度レベルが設定される。例えば、番組特徴情報の嗜好度が最も大きいジャンル「ドラマ」にレベル１が設定され、番組特徴情報の次に嗜好度が大きい出演者名「新垣ユイ」にレベル２が設定される。なお、かかるレベルは、番組特徴情報の一つ一つに順次設定されるようにしてもよいが、嗜好度が等しかったり、非常に近かったりしている複数の番組特徴情報に対しては、これらを一纏めにして１つのお好み度レベルを設定するようにしてもよい。
【００３５】
図１において、以上のようにして、嗜好分析処理部４でこれまでのユーザ視聴番組とその視聴時間とを基にした番組視聴情報毎の嗜好度リスト８が、ユーザが番組を視聴する毎に更新されて、保持されているが、リモコン７でのユーザ操作により、ユーザ操作取得部１からＥＰＧ作成部５にＥＰＧ表示指示情報Ｃが送られると、ＥＰＧ作成部５により、このＥＰＧ表示指示情報Ｃに応じてチャンネル軸と時間軸との二次元配列のＥＰＧが作成され、図示しない表示画面に作成されたこのＥＰＧが表示される。
【００３６】
ここで、リモコン７でのユーザによるＥＰＧ表示指示操作において、お好み度レベルも指定すると、その指定されたレベルまでのユーザの好みの番組のみからなる二次元配置のＥＰＧを表示させるようにすることができる。例えば、嗜好分析処理部４に図２に示す嗜好度リスト８が保持されているものとして、ユーザがリモコン７でレベル１を指定したＥＰＧ表示指示操作を行なうと、指定されたレベル１を含むＥＰＧ表示指示情報Ｃがユーザ操作取得部１からＥＰＧ作成部５に送られる。ＥＰＧ作成部５は、このＥＰＧ表示指示情報Ｃを取得すると、このＥＰＧ表示指示情報Ｃでの指定されたレベル１を表わす情報（レベル指定情報）を嗜好分析処理部４に送る。嗜好分析処理部４では、このレベル指定情報のレベル、即ち、レベル１に一致する番組特徴情報を検索し、その番組特徴情報（この場合、シャンル「ドラマ」）をＥＰＧ作成部５に送る。そこで、ＥＰＧ作成部５は、この番組特徴情報を取得し、ＥＰＧ情報取得部２からこの番組特徴情報に一致する番組情報（この場合、ジャンル「ドラマ」）を持つ番組（即ち、ドラマ番組）の番組情報を取得して、かかる番組情報を基に、二次元配置構造のＥＰＧを作成し、これを表示画面（図示せず）に表示する。なお、リモコン７でレベル指定なしのＥＰＧ表示指示操作を行なうこともできる。この場合には、ＥＰＧ作成部５では、ＥＰＧ情報取得部２で取得された全ての番組情報に基づいてＥＰＧが作成される。この場合のＥＰＧは、全ての番組を含むことになる。
【００３７】
図３は図１における嗜好分析処理部４の処理動作の流れの一具体例を示すフローチャートである。
【００３８】
同図において、ユーザ操作取得部１から視聴履歴処理部３に番組視聴操作情報Ｂに基づいて、視聴履歴処理部３により、そのユーザ視聴番組の番組特徴情報がＥＰＧ情報取得部２から抽出され（ステップ１００）、また、このユーザ視聴番組の視聴終了とともに、ユーザの視聴時間が検出され、さらに、このユーザ視聴番組の番組情報である放送時間（ユーザ視聴番組の長さ）を基に、番組視聴時間率μ（＝視聴時間÷放送時間）が求められると（ステップ１０１）、これら番組特徴情報と番組視聴時間率μとを関連付ける（ステップ１０２）。そして、現在設定されている嗜好度リストも照合し、新たに得られたこの番組特徴情報を含む嗜好度リストでの夫々の番組特徴情報に対して出現頻度の重み付けを行ない（ステップ１０３）、これを各番組特徴情報の新たな嗜好度として、嗜好度リストを更新する（ステップ１０４）。
【００３９】
ここで、番組特徴情報の出現頻度は、その番組特徴情報を番組情報として含む番組の視聴回数に応じたものであり、例えば、上記の特許文献３に記載のように、番組視聴時間率μが所定の値（例えば、８０％）以上のとき、その番組は視聴されたものとする。従って、新たに視聴されたユーザ視聴番組での番組視聴時間率μがこの所定の値以上であるとき、このユーザ視聴番組は視聴されたものと判定される。従って、この場合には、このユーザ視聴番組の視聴回数が１回増え、このユーザ視聴番組に関する全ての番組特徴情報の出現頻度が増加する。特徴番組情報の出現頻度としては、例えば、視聴回数としてもよく、出現頻度の重み付け、即ち、嗜好度としては、かかる視聴回数としてもよい（なお、図２に示す嗜好度リストでは、この場合を示している）。あるいはまた、これまで視聴された番組に対する番組特徴情報の視聴回数のうち、視聴回数が最大の番組特徴情報の出現頻度を１００と重み付けし、これに応じて他の番組特徴情報の出現頻度の重み付けを行なって嗜好度を設定する、これまでの番組視聴時間率μを累積加算してこれを出現頻度とし、この出現頻度に応じて重み付けして嗜好度を設定するなど、種々の方法を採用することができる。
【００４０】
図４は図１におけるＥＰＧ作成部５のＥＰＧ作成処理の一具体例を示すフローチャートである。
【００４１】
同図において、ユーザ操作取得部１からＥＰＧ表示指示情報Ｃがあると（ステップ２００）、ＥＰＧ作成部５は、レベルが指定されている場合、このレベルまでの該当する番組特徴情報（例えば、レベル１が指定されているときには、レベル１の番組特徴情報、レベル２が指定されている場合には、レベル１，２の番組特徴情報、レベル３が指定されている場合には、レベル１，２，３の番組特徴情報）を嗜好分析処理部４から取り込み、また、ＥＰＧ情報取得部２からＥＰＧのチャンネル枠と時間枠とで決められる番組の表示枠毎に表示が決められた番組の番組情報を取得し（ステップ２０１）、指定レベルの番組特徴情報と比較する（ステップ２０２）。そして、この指定レベルの番組特徴情報に一致した番組情報が存在する番組に対しては（ステップ２０２の一致）、この番組の情報（例えば、番組名）をＥＰＧの該当する位置に表示する（ステップ２０３）。指定レベルの番組特徴情報に一致した番組情報が存在しない番組に対しては（ステップ２０２の不一致）、その番組はＥＰＧに表示しない。以上のステップ２０１〜２０３の一連の処理がＥＰＧ情報取得部２で取得されたＥＰＧ情報の少なくとも一度のＥＰＧで表示される全ての番組について行なう（ステップ２０４）。少なくとも一度のＥＰＧで表示される全ての番組について行なわれると、ＥＰＧ作成処理が終了し、作成されてＥＰＧが表紙画面（図示せず）に表示される。
【００４２】
図５は、図２に示す嗜好度リスト８が嗜好分析処理部４に保持されているものとして、レベル１を指定した場合の表示されるＥＰＧの一具体例を示す図であって、９はＥＰＧ画面、１０は指定レベル表示エリア、１１は番組表、１２ａ，１２ｂ，１２ｃは番組、１３は番組選択カーソルである。
【００４３】
同図において、ＥＰＧ画面９は、番組表１１と指定レベル表示エリア１０とが表示され、番組表１１は、横軸がチャンネルＡ，Ｂ，Ｃ，Ｄ，……とチヤンネルを表わすチャンネル軸、縦軸が日時を表わす時間軸をなす通常の番組表と同様の番組毎の区画、即ち、番組枠の二次元配列の構造をなしている。また、指定レベル表示エリア１０は、例えば、番組表１１の上側、即ち、ＥＰＧ画面９の上辺に沿って設けられ、これに指定レベルが表示される。
【００４４】
いま、図２に示す嗜好度リスト８に対し、レベル１が指定されたものとすると、指定レベル表示エリア１０に「レベル１」が表示される。そして、図２に示す嗜好度リスト８でのレベル１の番組特徴情報であるジャンル「ドラマ」を番組情報として持つ番組を夫々「ドラマＡ」１２ａ，「ドラマＢ」１２ｂ，「サスペンスドラマ」１２ｃとすると、これらは番組表１１での、これら番組のチャンネルや番組情報である放送開始時刻と放送時間で決まる番組の表示位置（即ち、番組枠）に設定されて表示されることになる。
【００４５】
かかるＥＰＧにおいて、リモコン７（図１）で番組選択カーソル１３を操作して表示される所望のドラマ番組をフォーカスし、所定の選択操作を行なうと、このドラマ番組が放送されていれば、それが選局されて視聴することができる。また、放送開始時刻に至っていない番組に対しては、選局予約や録画予約をすることができる。
【００４６】
図６は、図２に示す嗜好度リスト８が嗜好分析処理部４に保持されているものとして、レベル２を指定した場合の表示されるＥＰＧの一具体例を示す図であって、１４ａ，１４ｂは番組であり、図５に対応する部分には同一符号をつけて重複する説明を省略する。
【００４７】
レベル２が指定された場合には、嗜好分析処理部４（図１）の嗜好度リストからレベル２までの、即ち、レベル１，２の番組特徴情報が取り込まれ、これを用いて、上記のように、ＥＰＧで表示する番組が決められる。
【００４８】
そこで、図６において、ＥＰＧ画面９の指定レベル表示エリア１０には、「レベル２」が表示されるとともに、番組表１１では、レベル２の番組特徴情報（図２に示す嗜好度リスト８において、出演者名「新垣ユイ」）と一致する番組情報を有する番組、即ち、「新垣ユイ」が出演する番組、ここでは、番組「Ｎスペ」１４ａと番組「クイズ王」１４ｂがその番組情報で決まる位置に表示される。
【００４９】
また、これとともに、図５に示したレベル１の番組特徴情報（ジャンル「ドラマ」）に一致する番組情報を含む番組１２ａ〜１２ｃも同時に表示される。
【００５０】
図７は、図２に示す嗜好度リスト８が嗜好分析処理部４に保持されているものとして、レベルが指定されない場合の表示されるＥＰＧの一具体例を示す図であって、図５，図６に対応する部分には同一符号をつけて重複する説明を省略する。
【００５１】
同図において、この場合のＥＰＧでは、指定レベル表示エリア１０にレベルが表示されず、従来の通常のＥＰＧと同様、番組表１１での番組枠の全てに該当する番組の番組名などの情報が表示される。
【００５２】
なお、５分間ほどのニュースや天気予報などの短時間番組については、直接番組名を表示しない場合もあり、このような番組に対しては、番組選択カーソル１３でかかる番組を選択する操作をした場合、ポップアップして番組名などを表示してその番組を確認できるようにするなどの方法がとられる。また、番組名などをポップアップして表示した状態で、さらに、選択操作をすると、この番組の選局，選局予約，録画予約をすることができる。このことは、レベルの指定によって図５，図６に示すように表示される番組についても、また、後述するたの実施形態についても、同様である。
【００５３】
なお、ここでは、特徴情報の嗜好度のレベルが指定されないときには、図７に示すように、従来と同様のＥＰＧが作成されて表示され、レベルが指定されることにより、図５，図６に示したような指定されたレベルに対する番組のみがＥＰＧに表示されるものであるが、例えば、一番よく視聴する番組特徴情報の番組のみを含むＥＰＧを表示させるためのレベル１をデフォルトとし、それ以外のレベルでＥＰＧを表示したり、レベルが指定されないＥＰＧを表示するときには、リモコン７でかかるレベルの指定やレベルを指定しないことの操作を行なわせるようにすることもできる。
【００５４】
また、以上の説明では、嗜好度が一番高い番組特徴情報をお好み度レベル１としたが、これに限るものではなく、嗜好度の高いものから、例えば、１０個づつなど、所定個数ずつ番組特徴情報にグループ分けし、嗜好度が高い番組特徴情報のグループ順にレベルを割り当てるようにしてもよく、また、嗜好度を百分率で表現することにより、その値を表示／非表示の判定値としてもよいことはいうまでもない。
【００５５】
また、図３に示す嗜好度を求める嗜好分析処理は、一例として示すものであって、これのみに限定されるものではなく、放送される番組情報からユーザが好む番組を特定できる番組特徴情報を抽出できればよい。
【００５６】
以上のように、この第１の実施形態では、ユーザが視聴した番組の番組情報を用い、視聴履歴からよく視聴する番組につけられた言葉や出演者，ジャンルなどの番組特徴情報を抽出し、よく視聴する番組の番組特徴情報と一致した番組情報を有する番組のみを全番組を表示する従来の二次元配列のＥＰＧ表示フォーマットと同様のフォーマットで表示することができるので、不要な情報を排除して好みの番組だけをチャンネル軸と時間軸の二次元表示されたＥＰＧでチャンネルと時間とをイメージとして捉えることができ、番組視聴や視聴・録画予約を計画し易いＥＰＧ表示が可能となる。
【００５７】
図８は本発明による番組情報提示方法の第２の実施形態におけるＥＰＧを示す図であって、１５は詳細情報表示エリアであり、前出図面に対応する部分には、同一符号をつけて重複する説明を省略する。
【００５８】
この第２の実施形態も、そのシステム構成は図１に示すものと同様である。また、ここでは、説明の都合上、嗜好分析処理部４に保持されている嗜好度リスト８は図２に示すものとする。
【００５９】
図８において、ＥＰＧ画面９では、番組表１１の右側に、このＥＰＧ画面９の右辺に沿って縦長に指定レベル表示エリア１０が設けられ、この番組表１１の上側に、このＥＰＧ画面９の上辺に沿って横長に詳細情報表示エリア１５が設けられている。そして、指定レベル表示エリア１０には、指定されたレベル（この場合、レベル１）が表示されている。
【００６０】
詳細情報表示エリア１５には、番組選択カーソル１３でフォーカス（選択）された番組の、番組表１１でのこの番組の番組枠で表示しきれない詳細情報が表示されるものである。ここでは、レベル１の番組特徴情報に一致する番組情報を有する番組「ドラマＡ」１２ａが番組選択カーソル１３によってフォーカスされており、これにより、詳細情報表示エリア１５には、この番組「ドラムＡ」の放送日、放送時間、番組名などが表示される。
【００６１】
そこで、番組表１１では、放送時間が短い番組の場合には、その番組枠に番組名も表示されないこともあり、これを番組選択カーソル１３でフォーカスすることにより、詳細情報表示エリア１５で番組名などを確認することができる。
【００６２】
詳細情報表示エリア１５をＥＰＧ画面９の他の場所、例えば、番組表１１の下側に横長に設けるようにしてもよいし、また、指定レベル表示エリア１０をＥＰＧ画面９の他の場所、例えば、番組表１１の左側に縦長に設けるようにしてもよい。
【００６３】
以上のように、この第２の実施形態においても、ユーザが視聴した番組の番組情報を用い、視聴履歴からよく視聴する番組につけられた言葉や出演者，ジャンルなどの番組特徴情報を抽出し、かかる番組特徴情報と一致した番組情報を有する番組のみを全番組を表示する従来の二次元配列のＥＰＧ表示フォーマットと同様のフォーマットで表示することができるので、不要な情報を排除して好みの番組だけをチャンネル軸と時間軸の二次元表示されたＥＰＧでチャンネルと時間とをイメージとして捉えることができ、番組視聴や視聴・録画予約を計画し易いＥＰＧ表示が可能となる。
【００６４】
また、この第２の実施形態では、番組枠に番組名が表示されていなくとも、その番組枠を番組選択カーソル１３で選択することにより、別に設けられている詳細情報表示エリア１５で番組名が表示されてそれを確認することができるので、番組視聴や録画予約を計画し易いＥＰＧ表示を損ねることなく、夫々の番組を確認することが可能となる。
【００６５】
図９は本発明による番組情報提示方法の第３の実施形態におけるＥＰＧを示す図であって、１６は番組枠であり、前出図面に対応する部分には、同一符号をつけて重複する説明を省略する。
【００６６】
この第３の実施形態も、そのシステム構成は図１に示すものと同様である。また、ここでは、説明の都合上、嗜好分析処理部４に保持されている嗜好度リスト８は図２に示すものとする。
【００６７】
図９において、ＥＰＧ画面９は、先の図５〜図７に示すＥＰＧ画面９と同様、番組表１１では、指定されたレベル１の番組特徴情報を含む番組情報を有する番組が該当する番組枠に表示されているが、番組名が表示されていない番組枠１６を番組選択カーソル１３で選択すると、その番組枠１６に該当する番組の番組名が表示されるようにしている。勿論、この番組は、指定されたレベル１の番組特徴情報を含む番組情報を有していない。
【００６８】
以上のように、この第３の実施形態においても、ユーザが視聴した番組の番組情報を用い、視聴履歴からよく視聴する番組につけられた言葉や出演者，ジャンルなどの番組特徴情報を抽出し、かかる番組特徴情報と一致した番組情報を有する番組のみを全番組を表示する従来の二次元配列のＥＰＧ表示フォーマットと同様のフォーマットで表示することができるので、不要な情報を排除して好みの番組だけをチャンネル軸と時間軸の二次元表示されたＥＰＧでチャンネルと時間とをイメージとして捉えることができ、番組視聴や視聴・録画予約を計画し易いＥＰＧ表示が可能となる。
【００６９】
また、この第３の実施形態では、図８の第２の実施形態と同様に、番組名を表示していない番組枠１６を番組選択カーソル１３で選択することにより、番組名を確認することができるので、番組視聴や予約録画を計画し易いＥＰＧ表示を損ねることなく、夫々の番組を確認することが可能となる。
【００７０】
なお、この第３の実施形態では、番組選択カーソル１３で選択した場合に、その番組枠の非表示の番組情報を表示するようにしたが、番組選択カーソル１３による選択だけでは、番組名などの情報が表示されず、さらに、表示のためのもう一段の操作、例えば、決定操作や専用の表示ボタンによる操作などを加えてもよい。これによると、番組選択カーソル１３が番組名非表示の番組枠を通過する毎に順にその番組枠で番組情報が不要に表示されていく、との無駄な表示をなくすことができる。
【００７１】
図１０は本発明による番組情報提示方法の第４の実施形態におけるＥＰＧを示す図であって、１７は番組特徴情報表示エリアであり、前出図面に対応する部分には、同一符号をつけて重複する説明を省略する。
【００７２】
この第４の実施形態も、そのシステム構成は図１に示すものと同様である。また、ここでは、説明の都合上、嗜好分析処理部４に保持されている嗜好度リスト８は図２に示すものとする。
【００７３】
図１０において、ＥＰＧ画面９には、番組表１１の右側に縦長に番組特徴情報表示欄１７が設けられており、これに、嗜好分析処理部４に保持されている嗜好度リスト８（図２）での番組特徴情報が嗜好度の高い順に縦方向に配列表示されており、リモコン７（図１１）の操作により、そのうちのいずれか１つを番組特徴情報選択カーソル１８で選択できるようにしている。かかる表示は、ユーザ操作取得部１からのＥＰＧ表示指示情報Ｃにより、ＥＰＧ作成部５が番組枠のいずれにも番組が表示されないＥＰＧ画面９を表示画面に表示させるとともに、嗜好分析処理部４からその嗜好度リスト８（図２）での番組特徴情報をその嗜好度とともに読み取り、その嗜好度の大きい順に夫々の番組特徴情報を番組特徴情報表示欄１７に配列表示させる。そして、これら番組特徴情報のいずれか１つを番組特徴情報選択カーソル１８で選択すると、先の実施形態と同様、この選択された番組特徴情報を含む番組情報を有する番組がＥＰＧ取得部２から読み取られ、番組表１１の該当する番組枠に表示される。
【００７４】
そこで、いま、この番組特徴情報選択カーソル１８によって番組特徴情報の１つの出演者名「新垣ユイ」が選択されたとすると、先の第１の実施形態と同様、ＥＰＧ作成部５により、この番組特徴情報である出演者名「新垣ユイ」に一致する番組情報を有する番組（ここでは、番組「Ｎスペシャル」１４ａ，番組「クイズ王」１４ｂ）がＥＰＧ取得部２のＥＰＧ情報から選択され、番組表１１の該当する番組枠に設定される。
【００７５】
なお、この第４の実施形態においても、図８に示す第２の実施形態のように、詳細情報表示エリア１５を設けるようにしてもよいし、図９に示す第３の実施形態のように、番組選択カーソル１３により、何も表示されない番組枠で番組名などを表示させるようにしてもよい。
【００７６】
以上のように、この第３の実施形態においても、ユーザが視聴した番組の番組情報を用い、視聴履歴からよく視聴する番組につけられた言葉や出演者，ジャンルなどの番組特徴情報を抽出し、かかる番組特徴情報と一致した番組情報を有する番組のみを全番組を表示する従来の二次元配列のＥＰＧ表示フォーマットと同様のフォーマットで表示することができるので、不要な情報を排除して好みの番組だけをチャンネル軸と時間軸の二次元表示されたＥＰＧでチャンネルと時間とをイメージとして捉えることができ、番組視聴や視聴・録画予約を計画し易いＥＰＧ表示が可能となる。
【００７７】
また、この第４の実施形態では、番組特徴情報を直接指示することができるので、嗜好度に関係なく、選択して表示したい番組を検索して表示させることが可能となる。
【図面の簡単な説明】
【００７８】
【図１】本発明による番組情報提示方法の一実施形態を示すブロック図である。
【図２】図１における嗜好分析処理部に保持される嗜好度リストの一具体例を模式的に示す図である。
【図３】図１における嗜好分析処理部の処理動作の流れの一具体例を示すフローチャートである。
【図４】図１におけるＥＰＧ作成部のＥＰＧ作成処理の一具体例を示すフローチャートである。
【図５】図２に示す嗜好度リストが嗜好分析処理部に保持されているものとして、レベル１を指定した場合の表示されるＥＰＧの一具体例を示す図である。
【図６】図２に示す嗜好度リストが嗜好分析処理部に保持されているものとして、レベル２を指定した場合の表示されるＥＰＧの一具体例を示す図である。
【図７】レベルを指定しない場合の表示されるＥＰＧの一具体例を示す図である。
【図８】本発明による番組情報提示方法の第２の実施形態におけるＥＰＧを示す図である。
【図９】本発明による番組情報提示方法の第３の実施形態におけるＥＰＧを示す図である。
【図１０】本発明による番組情報提示方法の第４の実施形態におけるＥＰＧを示す図である。
【符号の説明】
【００７９】
１  ユーザ操作取得部
２  ＥＰＧ情報取得部
３  視聴履歴処理部
４  嗜好分析処理部
５  ＥＰＧ作成部
６  リモコン
７  システム制御部
８  嗜好度リスト
９  ＥＰＧ画面
１０  指定レベル表示エリア
１１  番組表
１２ａ，１２ｂ，１２ｃ  番組
１３  番組選択カーソル
１４ａ，１４ｂ  番組
１５  詳細情報表示エリア
１６  番組枠
１７  番組特徴情報表示エリア
１８  番組特徴情報選択カーソル
【図１】
2008005225.tif 000003
【図２】
2008005225.tif 000004
【図３】
2008005225.tif 000005
【図４】
2008005225.tif 000006
【図５】
2008005225.tif 000007
【図６】
2008005225.tif 000008
【図７】
2008005225.tif 000009
【図８】
2008005225.tif 000010
【図９】
2008005225.tif 000011
【図１０】
2008005225.tif 000012